(57)【要約】【課題】従来のテレビジョン装置の表示はコンテンツ以外の情報表示領域が狭く、またシネスコサイズの映像を表示すると上下に黒帯を表示する必要がある、という課題がある。【解決手段】上記課題解決のため、有効表示領域の横：縦比が、シネスコサイズと同じ、あるいはは２１：９などであるディスプレイ構体を提供する。これによりディスプレイ上に多くの情報を表示することができ、またシネスコサイズの映像を上下の黒帯無しで画面いっぱいに表示することができる。またこのようなディスプレイ構体を備え、複数のチューナと、選局操作部と、メインとサブの選択チューナを決定する決定部と、メイン選択チューナ映像を１６：９として縦いっぱいに例えば左寄せで表示し、サブ選択チューナ映像を１６：９として右余白に縦に並べて表示する表示信号処理部と、を有するテレビジョン装置も提供する。【選択図】図１３
2008167265.tif 000002
【特許請求の範囲】
【請求項１】
有効表示領域の横：縦の比が、シネマスコープ（登録商標）サイズの横縦比と同じであるディスプレイ構体。
【請求項２】
有効表示領域の横：縦の比が、２０．７：９から２２．０５：９の範囲であるディスプレイ構体。
【請求項３】
有効表示領域の横：縦の比が、２１：９であるディスプレイ構体。
【請求項４】
複数のチューナと、
チューナの選局操作部と、
請求項１から３のいずれか一に記載のディスプレイ構体と、
複数のチューナのうちメイン選択チューナとサブ選択チューナとを決定する決定部と、
メイン選択チューナからの映像を横：縦＝１６：９として有効表示領域の縦をいっぱいに利用して左寄せ又は右寄せにて右余白又は左余白を残して表示し、サブ選択チューナからの映像を横：縦＝１６：９として前記右余白又は左余白に縦に並べて表示されるように信号を処理する表示信号処理部と、
を有するテレビジョン装置。
【請求項５】
一又は二基以上のチューナと、
チューナの選局操作部と、
請求項１から３のいずれか一に記載のディスプレイ構体と、
チューナが二基以上である場合、複数のチューナのうちメイン選択チューナとサブ選択チューナとを決定する決定部と、
メイン選択チューナからの映像を横：縦＝１６：９として有効表示領域の縦をいっぱいに利用して右余白又は／及び左余白を残して表示し、
残りの余白領域に複数のチューナのいずれか一以上のチューナにて受信するデータ放送の内容を表示するように信号を処理する第二表示信号処理部と、
を有するテレビジョン装置。
【請求項６】
一又は二基以上のチューナと、
チューナの選局操作部と、
請求項１から３のいずれか一に記載のディスプレイ構体と、
チューナが二基以上である場合、複数のチューナのうちメイン選択チューナとサブ選択チューナとを決定する決定部と、
メイン選択チューナからの映像を横：縦＝１６：９として有効表示領域の縦をいっぱいに利用して右余白又は／及び左余白を残して表示し、
残りの余白領域に複数のチューナのいずれか一以上のチューナにて受信する電子番組表の内容を表示するように信号を処理する第三表示信号処理部と、
を有するテレビジョン装置。
【請求項７】
一又は二基以上のチューナと、
チューナの選局操作部と、
請求項１から３のいずれか一に記載のディスプレイ構体と、
チューナが二基以上ある場合、複数のチューナのうちメイン選択チューナとサブ選択チューナとを決定する決定部と、
メイン選択チューナからの映像を横：縦＝１６：９として有効表示領域の縦をいっぱいに利用して右余白又は／及び左余白を残して表示し、
前記メイン選択チューナが受信している信号に主画面の他に副画面用の映像信号が含まれている場合には、残りの余白領域に副画面の内容を表示するように信号を処理する第四表示信号処理部と、
を有するテレビジョン装置。
【請求項８】
複数のチューナと、
チューナの選局操作部と、
請求項１から３のいずれか一に記載のディスプレイ構体と、
複数のチューナのうちメイン選択チューナとサブ選択チューナとを決定する決定部と、
メイン選択チューナで受信している番組がコマーシャルであるか判断するコマーシャル判断部と、
メイン選択チューナからの映像を横：縦＝１６：９として有効表示領域の縦をいっぱいに利用して右余白又は／及び左余白を残して表示し、
前記メイン選択チューナが受信している信号に主画面の他に副画面用の映像信号が含まれ、かつ、コマーシャル判断部での判断結果がコマーシャルであるとの判断結果である場合には、残りの余白領域に副画面の内容を表示するように信号を処理する第五表示信号処理部と、
を有するテレビジョン装置。
【請求項９】
一又は二基以上のチューナと、
チューナの選局操作部と、
請求項１から３のいずれか一に記載のディスプレイ構体と、
チューナが二基以上である場合、複数のチューナのうちメイン選択チューナとサブ選択チューナとを決定する決定部と、
電子メモの入力を受け付けるとともに映像信号に変換して保持する電子メモ部と、
メイン選択チューナからの映像を横：縦＝１６：９として有効表示領域の縦をいっぱいに利用して右余白又は／及び左余白を残して表示し、
電子メモ部が映像信号に変換した電子メモを保持している場合には、その電子メモを残りの余白領域に表示するように信号を処理する第六表示信号処理部と、
を有するテレビジョン装置。
【請求項１０】
複数のチューナと、
チューナの選局操作部と、
請求項１から３のいずれか一に記載のディスプレイ構体と、
複数のチューナのうちメイン選択チューナとサブ選択チューナとを決定する決定部と、
受信している映像信号がコマーシャルの映像信号である場合には、そのコマーシャルの終了までの時間、又は、そのコマーシャルを含むコマーシャル時間枠の終了までの時間を計算するコマーシャル残り時間計算部と、
メイン選択チューナからの映像を横：縦＝１６：９として有効表示領域の縦をいっぱいに利用して右余白又は／及び左余白を残して表示し、
コマーシャル残り時間計算部で計算された時間がメイン選択チューナが受信している映像信号に関するものである場合には、その計算されたコマーシャルの残り時間を余白領域に表示するように信号を処理する第七表示信号処理部と、
を有するテレビジョン装置。
【請求項１１】
前記複数のチューナは、地上デジタル放送用チューナ、地上アナログ放送用チューナ、ＢＳ放送用チューナ、ＣＳ放送用チューナ、ＣＡＴＶチューナの中のいずれか４つの組み合わせであり、
選局操作部は、
送り選局ボタン操作で上記チューナのうち複数のチューナのチャンネルを同時に送り選局可能である同時送り選局手段を有する
請求項４から１０に記載のテレビジョン装置。
【請求項１２】
選局操作部は、
各チューナに対して個別に選局操作を実行するチューナ別選局操作手段を有し、
決定部は、
チューナ別選局操作手段のいずれか一のみが選局操作された場合には、選局操作されたチューナをメイン選択チューナと決定し、すでにメイン選択チューナとして決定されていたチューナが選局操作されたチューナでない場合には、それをサブ選択チューナと決定する選局依存決定手段を有する
請求項４から１１に記載のテレビジョン装置。
【請求項１３】
表示信号処理部は、前記チューナからの映像に加えて、又は部分的に代えて、さらに又は全部を代えて、
デジタルカメラ、パソコン、ＤＶＤプレイヤー、ＨＤＤプレイヤー、携帯型動画プレイヤー、デジタルカメラ付電子機器、監視カメラ、電子ゲーム機などの外部映像ソース機器のいずれか一以上の映像を
横：縦＝１６：９として有効表示領域の縦をいっぱいに利用して左寄せ又は右寄せにて右余白又は左余白を残して表示し、又は／及び横：縦＝１６：９として前記右余白又は左余白に縦に並べて表示されるように信号を処理する外部表示信号処理手段、
を有する請求項４から１２のいずれか一に記載のテレビジョン装置。
【請求項１４】
チューナ又は外部映像ソース機器から映像信号を取得するとともに、取得した映像信号にそのままでは全て有効表示領域に表示できない字幕などの文字・記号が含まれている場合には、
それらの文字記号が有効表示領域内に欠落することなく全て表示できるように調整する調整部
をさらに有する請求項４から１３のいずれか一に記載のテレビジョン装置。
【請求項１５】
複数のチューナと、チューナの選局操作部と、請求項１から３のいずれか一に記載のディスプレイ構体と、を備えるテレビジョン装置の画面表示方法であって、
複数のチューナのうちメイン選択チューナとサブ選択チューナとを決定する決定ステップと、
メイン選択チューナからの映像を横：縦＝１６：９として有効表示領域の縦をいっぱいに利用して左寄せ又は右寄せにて右余白又は左余白を残して表示し、サブ選択チューナからの映像を横：縦＝１６：９として前記右余白又は左余白に縦に並べて表示されるように信号を処理する表示信号処理ステップと、
を計算機に実行させる画面表示方法。
【請求項１６】
前記複数のチューナは、地上デジタル放送用チューナ、地上アナログ放送用チューナ、ＢＳ放送用チューナ、ＣＳ放送用チューナ、ＣＡＴＶチューナの中のいずれか４つの組み合わせであり、
選局操作部で送り選局ボタン操作を受け付ける送り選局ボタン操作受付ステップと
受け付けた送り選局ボタン操作で、上記チューナのうち複数のチューナのチャンネルを同時に送り選局する同時送り選局ステップと、
をさらに計算機に実行させる請求項１５に記載の画面表示方法。
【請求項１７】
選局操作部での各チューナに対する個別の選局操作を受け付けるチューナ別選局操作受付ステップをさらに計算機に実行させ、
決定ステップは、
チューナ別選局操作受付ステップでいずれか一のみが選局操作された場合には、選局操作されたチューナをメイン選択チューナと決定し、すでにメイン選択チューナとして決定されていたチューナが選局操作されたチューナでない場合には、それをサブ選択チューナと決定する選局依存決定ステップを含む
請求項１５又は１６に記載の画面表示方法。
【請求項１８】
表示信号処理ステップは、前記チューナからの映像に加えて、又は部分的に代えて、さらに又は全部を代えて、
デジタルカメラ、パソコン、ＤＶＤプレイヤー、ＨＤＤプレイヤー、携帯型動画プレイヤー、デジタルカメラ付電子機器、監視カメラ、電子ゲーム機などの外部映像ソース機器のいずれか一以上の映像を
横：縦＝１６：９として有効表示領域の縦をいっぱいに利用して左寄せ又は右寄せにて右余白又は左余白を残して表示し、又は／及び横：縦＝１６：９として前記右余白又は左余白に縦に並べて表示されるように信号を処理する外部表示信号処理ステップを含む
請求項１５から１７のいずれか一に記載の画像表示方法。
【請求項１９】
チューナ又は外部映像ソース機器から映像信号を取得するとともに、取得した映像信号にそのままでは全て有効表示領域に表示できない字幕などの文字・記号が含まれている場合には、
それらの文字記号が有効表示領域内に欠落することなく全て表示できるように調整する調整ステップ
をさらに計算機に実行させる請求項１５から１８のいずれか一に記載の画像表示方法。
【発明の詳細な説明】
【技術分野】
【０００１】
本発明は、画像を表示するディスプレイ構体、およびそのディスプレイ構体にコンテンツを表示するテレビジョン装置の技術に関する。
【背景技術】
【０００２】
現在、例えば多重放送によるデータ放送配信をはじめとして、通常の映像コンテンツに加え様々な情報が配信されている。また、チューナ回路を複数備えた放送受信装置やテレビジョン装置なども提供されている。またそのような複数チューナ回路を備えた装置においては、地上アナログ放送，地上デジタル放送、ＢＳ（ブロードキャスト・サテライト）放送、ＣＳ（コミュニケーション・サテライト）放送、ＣＡＴＶ（ケーブルテレビ）といった具合に、複数の放送種別に応じて複数のチューナを備えているものも多い。
【０００３】
このようにテレビジョン装置が受信し表示することが可能なデータ情報や映像コンテンツなどは多岐にわたっている。そこで特許文献１では画面の横縦比が４：３に比べて横広なディスプレイを有し、例えば４：３コンテンツを表示したディスプレイの余白部分に、受信状況などの各種情報を表示できるよう構成されたテレビジョン受像機に関する技術が開示されている。
【０００４】
また、近年では「デジタルシネマ」と呼ばれる横縦比が２．３５：１であるシネマスコープ（登録商標）サイズの映像も、そのまま配信されるようになってきている。
【特許文献１】特開昭６３−２４５０７６号公報
【発明の開示】
【発明が解決しようとする課題】
【０００５】
しかし、上記従来の技術には、主となる映像コンテンツ以外の情報表示領域が狭い、という課題がある。すなわち、特許文献１では、添付の図に示されるようにその余白部分に表示できるのはチャンネル情報などの数文字程度の文字情報でしかない。したがって、情報量の多いデータ放送や、複数チューナ回路によって受信したその他映像コンテンツを表示することは難しい、という課題がある。また、例えば横縦比が１６：９である複数の映像を重畳などせずに効率的に表示することも難しい。また、例えば映像の有効領域の横：縦の比が２．３５：１であるシネスコ（シネマスコープ）サイズの映画などでは、１６：９サイズなどの従来のディスプレイにおいて表示領域をフルに使った表示が出来ず、映像の上下に黒帯が付いた状態となり、黒帯部分の黒浮きが目立って映画の臨場感を損なうという問題がある。
【課題を解決するための手段】
【０００６】
以上の課題を解決するために、本発明は、有効表示領域の横：縦が、シネマスコープ（登録商標）サイズの横縦比と同じであるディスプレイ構体、あるいは有効表示領域の横：縦が、２０．７：９から２２．０５：９の範囲であるディスプレイ構体、あるいは有効表示領域の横：縦が、２１：９であるディスプレイ構体を提供する。以上のような横縦比を有する有効表示領域のディスプレイ構体によって、例えば横縦比が１６：９といった所謂「ビスタサイズ」のハイビジョン放送などを、例えば縦サイズを有効表示領域いっぱいにして表示しても、なお左右に大きな余白領域を生じさせることができる。また、例えば映像の有効領域の横縦比が２．３５：１である「シネスコサイズ」の映画などにおいても、映像の上下に黒帯を付けることなく表示領域をフルに使った表示が可能となる。
【０００７】
またこのような有効表示領域のディスプレイ構体を備え、そのディスプレイ構体に様々な映像コンテンツを同時表示できるよう以下のような構成を備えるテレビジョン装置も提供する。具体的に、本発明のテレビジョン装置は、複数のチューナと、チューナの選局操作部と、前記ディスプレイ構体と、複数のチューナのうちメイン選択チューナとサブ選択チューナとを決定する決定部と、メイン選択チューナからの映像を横：縦＝１６：９として有効表示領域の縦をいっぱいに利用して左寄せ又は右寄せにて右余白又は左余白を残して表示し、サブ選択チューナからの映像を横：縦＝１６：９として前記右余白又は左余白に縦に並べて表示されるように信号を処理する表示信号処理部と、を有するテレビジョン装置である。
【発明の効果】
【０００８】
以上のような有効表示領域を有する本発明のディスプレイ構体は、前述のように例えば「ビスタサイズ」のハイビジョン放送を表示してもなお余白部分が生じる。したがって、上記構成をとる本発明のテレビジョン装置によって、このディスプレイ構体の余白領域にデータ放送やその他チューナで受信した映像コンテンツなどを効率的に同時表示することができる。また、例えば映像の有効領域の横縦比が２．３５：１である「シネスコサイズ」の映画などにおいても、映像の上下に黒帯を付けることなく表示領域をフルに使った表示が可能となる。
【０００９】
また有効表示領域の横：縦が、２０．７：９から２２．０５：９の範囲にあることで、メインの１６：９の映像を有効表示領域の縦いっぱいに左寄せなどで表示し、右余白に１６：９のサブ映像を３つ並べて表示し、そして各映像間に若干の隙間領域を設けて、４つの１６：９映像を有効表示領域ぴったりに表示することができる。
【発明を実施するための最良の形態】
【００１０】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、２、３、１８，１９について説明する。また、実施例２は、主に請求項４から１０、１３、１４、１５、１８，１９について説明する。また、実施例３は、主に請求項１１、１６について説明する。また、実施例４は、主に請求項１２、１７について説明する。
【００１１】
≪実施例１≫
<概要・構成>
図１は、本実施例のディスプレイ構体を用いたテレビジョン装置の一例を表す概念図である。この図にあるように、本実施例のディスプレイ構体は、その有効表示領域が横長であって、横：縦比が例えばシネマスコープ（登録商標）サイズと同じ２．３５：１（２１．１５：９）や２１：９などの２０．７：９から２２．０５：９の範囲であることを特徴とする。
【００１２】
このように、本実施例のディスプレイ構体は、横：縦比が２０．７：９から２２．０５：９の範囲であることから、映像の有効領域の横：縦が２．３５：１である所謂シネスコサイズの映像を上下の黒帯表示無しでほぼ画面いっぱいに表示することができる。また、例えば有効表示領域の横：縦が１６：９である所謂ワイドテレビ用のディスプレイ構体と比較すると、横幅が同じサイズであればその縦サイズを短くすることができる。そのため、部屋に設置したときに視聴者に与える圧迫感を軽減できる。また、横のサイズを基準としてディスプレイを製造することで、ガラス基板や樹脂素材などのディスプレイ構体の素材の必要量を抑えることができる。
【００１３】
また有効表示領域の横：縦が、２０．７：９から２２．０５：９の範囲にあることで、メインの１６：９の映像を有効表示領域の縦いっぱいに左寄せなどで表示し、右余白に１６：９のサブ映像を３つ並べて表示し、そして各映像間に若干の隙間領域を設けて、４つの１６：９映像を有効表示領域ぴったりに表示することもできる。ここで有効表示領域の横：縦が２０．７：９以下である場合、余白も３つ並べて表示する映像の隙間が大きくなってしまう。また２２．０５：９以上である場合、余白に縦に３つ並べることができない。
【００１４】
また、映像の横：縦が１６：９であるテレビジョン映像などを表示する際には、後述するような左右の余白領域を利用してデータ放送や電子番組表などさまざまな情報をテレビジョン映像と同時に表示することもできる。また、実施例２や３で後述するように４チャンネル分の１６：９テレビジョン映像を効率的に同時表示することもできる。
【００１５】
<映像表示例>
以下、図を用いてこのディスプレイ構体を用いたディスプレイ／モニタ装置における映像表示例について説明する。
【００１６】
図２は、横縦比が２．３５：１（２１．１５：９）である所謂シネマスコープサイズの映像をディスプレイ／モニタ装置において表示した際の一例を表す図である。この図２（ａ）にあるように、従来の有効表示領域の横縦比が１６：９であるディスプレイ装置では、上記シネマスコープサイズの映像を表示するために上下などに黒帯を表示する必要がある。すると、視聴者の視覚上で黒帯部分の黒浮きが目立つなどするため、映像が表示されている領域以外である黒帯領域に注意が散ってしまい映画の臨場感を損なってしまうことがある。
【００１７】
一方、図２（ｂ）に示すように、有効表示領域の横縦比が例えばシネマスコープサイズのものと同じである本実施例のディスプレイ構体を表示画面とするディスプレイ／モニタ装置では、上記のように視聴者の注意力を分散させる黒帯領域を設ける必要が無い。つまり本実施例では、シネマスコープサイズの映像を有効表示領域いっぱいに表示することができる、という効果を奏する。
【００１８】
図３は、そのようなディスプレイ／モニタ装置における機能ブロックの一例を表す図である。この図にあるように、「ディスプレイ／モニタ装置」（０３００）は、例えば「映像取得部」（０３０１）と、「表示処理部」（０３０２）と、本実施例の有効表示領域の横：縦比が例えばシネマスコープサイズのものと同一や２１：９などである「ディスプレイ構体」（０３０３）と、からなる。そして、複数のチューナや、映像を保持するＤＶＤなどのメディアやＨＤＤ、あるいはネットワーク上の動画サーバから「映像取得部」にて取得した映像に対して、「表示処理部」にて横縦比変更処理や複数映像のレイアウト処理などが実行され、例えば横縦比２１：９の「ディスプレイ構体」に映像が表示される、という具合である。
【００１９】
ここで、図２（ａ）のように本実施例のディスプレイ構体にシネマスコープサイズの映像を表示するためには、例えば上記各構成要件の「表示処理部」がさらに「黒帯検出・切出手段」と、「スケーリング処理手段」とを備える構成とし、以下のような処理をおこなう方法が挙げられる。すなわち「黒帯検出・切出手段」は、「映像取得部」で取得した映像ソースに含まれる横・縦のピクセル（画素）数の情報を利用して、まず演算回路の論理演算処理によって映像ソースの横縦比を判断する。ここで、取得した映像ソースの横縦比がシネマスコープサイズである２．３５：１やその近似値であれば、黒帯は検出されなかったとしてそのまま本実施例のディスプレイ構体に出力することができる。そこで映像ソースに対して「スケーリング処理手段」によるディスプレイ構体の画素数に合わせた拡大／縮小のスケーリング処理を行った後ディスプレイ構体に出力する、といった方法である。
【００２０】
また映像ソースの横縦比が黒帯を含み１６：９などとなっているのであれば、その黒帯をカットする処理を行う必要がある。そこで「黒帯検出・切出手段」の演算回路の演算処理によって、所定範囲で隣接画素間の輝度差が０である領域や黒画素が連続する領域などを黒帯領域として抽出する。あるいは、上下それぞれの黒帯の縦幅が映像ソースの縦幅の例えば１１．９％など所定の割合になっているとすれば、映像ソースの縦の画素数と１１．９％などの所定の割合情報から演算回路の演算処理によって黒帯領域を抽出する。そして抽出した黒帯領域のカット処理を行い、必要に応じて「スケーリング処理手段」にて拡大／縮小スケーリング処理を行う。そして、ディスプレイ構体に出力する、といった方法も挙げられる。
【００２１】
なお、上記黒帯領域のカット処理においては、黒帯領域に字幕が含まれている場合など、黒帯領域を上手く抽出できなかったり、字幕ごと黒帯領域をカットしてしまったりする可能性がある。そこで、このような字幕を含む場合、表示処理部は「字幕抽出手段」等を含みまた別の処理が必要となるが、字幕の抽出処理などについての説明はここでは省略し後述する。
【００２２】
図４は、このような処理によって本実施例のディスプレイ構体に表示されたシネマスコープサイズの横縦比を有する例えばデジタルシネマ映像の表示の一例を表す図である。この図４（ａ）にあるように、例えばネットワークを介して動画サーバから取得した映像横縦比２．３５：１のデジタルシネマが、本実施例のディスプレイ構体からなる画面いっぱいに表示される。あるいは、図４（ｂ）にあるように、例えばＨＤＤなどの記録メディアに記録された映像横縦比２．３５：１のデジタルシネマが、本実施例のディスプレイ構体からなる画面いっぱいに表示される、という具合である。
【００２３】
このように本実施例のディスプレイ構体を表示画面として利用するディスプレイ／モニタ装置はネットワーク接続回路や記録再生装置を備え、デジタルシネマ映像などの再生機能を有していても良い。
【００２４】
また、本実施例のディスプレイ構体では、２．３５：１のシネマスコープサイズの横縦比の映像を表示する以外にも、以下、図５から図９を用いて説明するような様々な映像表示を効果的に行うことができることを特徴とする。
【００２５】
例えば図５（ａ）にあるように、このディスプレイ構体には１６：９のワイドテレビ映像や４：３のスタンダードテレビ映像などを縦いっぱいにして表示しても、余白領域αが生じる。そこでデータ放送のデータ表示領域をワイドテレビの映像に被せるなどすることなく同時に表示することもできる。あるいは図５（ｂ）にあるように、余白領域βに電子番組表を表示したり、ワイドテレビ映像が試合映像であれば余白領域γにその他の試合経過／結果などを表示したりすることもできる。
【００２６】
また、図６にあるように、テレビのスポーツ中継などリアルタイム放送番組の途中に挿入されたコマーシャル映像を１６：９でワイド表示している場合には、コマーシャル映像の表示を邪魔することなく余白領域βに現在進行中のそのスポーツ映像などを表示することもできる。このようにして、コマーシャルなどによる一時的な視聴中断を挟むことなく、スポーツ中継などをその場で観戦しているのと同様に本来のシームレスな形で楽しむことができる。ただし、この場合には例えば多チャンネル放送波やデータ放送、あるいは別途インターネット放送などを利用して同時配信されたコマーシャル映像とリアルタイム放送番組などを取得する必要がある。
【００２７】
また、図７（ａ）にあるように、例えば１６：９のワイドテレビ映像を縦いっぱいにして表示した場合に生じる余白領域αに、「ダウンロードのお知らせ」などデジタル放送波に重畳して送信される各種通知情報や、放送波を利用して送信されるメールの着信情報などを表示することもできる。また別の余白領域βにメモ書きが記載されたデジタル付箋を、テレビ映像を邪魔することなく表示することもできる。あるいは図７（ｂ）にあるように、テレビ映像を邪魔することなく余白領域γに家庭内セキュリティカメラなどで撮影している自宅ドア前の映像を表示することもできる。
【００２８】
また、図８にあるように表示中のコマーシャル映像が終了する残り時間や、放送本編がはじまるまでの残り時間を、その余白領域に数字や進行表示バーによって示すこともできる。それによって、視聴者は本編が始まるタイミングが分かるためコマーシャル中のチャンネルザッピングなどの行為を抑える効果も期待できる。ただし、この場合にはコマーシャルやコマーシャル枠の放送時間についての情報を、別途取得する必要がある。このコマーシャル（枠）放送時間情報の取得は、例えば、放送局側でその時間情報を含む放送波を送信することで、コマーシャル映像と一緒に取得する方法が挙げられる。あるいは、「Ａ放送局の９時台のドラマのコマーシャル放送枠」といった具合に、予め所定条件ごとのコマーシャル（枠）放送時間パターンを示す情報を蓄積保持しておき、その蓄積パターン情報から取得する方法なども挙げられる。
【００２９】
また、本実施例のディスプレイ構体のようにその有効表示領域が横：縦＝２１：９などの場合、映画字幕などの表示において以下のような問題が生じる場合がある。すなわち図９（ａ）にあるように、映像ソースが外国映画である場合、その字幕は１６：９の有効表示領域上に表示することを前提として表示位置が決められている場合が多い。そのため字幕の表示位置や行数によっては、横：縦が例えば２１：９などの有効表示領域では、例えば映像ソースの字幕の一部が画面外にはみ出て表示されない、などの問題である。そこで、例えば字幕部分と映像部分とが別データとして取得され、ディスプレイ構体への出力時に両データが重畳され表示する形態であれば、まず予め横：縦＝２１：９の映像に合わせて設定されている字幕表示用の位置情報を、フラッシュメモリなどから取得する。そして映像とは別データとして取得した字幕データの映像内での重畳表示位置を、その取得した２１：９の映像用の位置に調整し、図９（ｂ）のように重畳表示することで上記問題を解決することができる。
【００３０】
また図１０（ａ）に示すように、１６：９映像において字幕部分と映像部分とが一体のデータとして取得される場合は、例えば以下のようにして１６：９映像に合わせてある字幕の表示位置を２１：９映像に合わせるよう調整しても良い。例えば、図１０（ｂ）にあるように、まず形状パターンマッチングや輝度値判定、エッジ抽出処理などによって映像部分から字幕部分を抽出し、取得したデータを字幕データと、その字幕データを抜き出した映像データとに分離する。続いて、図１０（ｃ）にあるように、映像データの黒帯をカットするとともに、字幕部分の抜出によって映像の無い部分（字幕抜け部分）の映像を例えば前後の数フレームを参照し補間する。そして、図１０（ｄ）に示すように、黒帯がカットされ字幕抜け部分が補間された２１：９映像データの適当な位置に、抜き出した字幕データを再合成する、という具合である。
【００３１】
また、例えばデジタルシネマの規格として採用されているモーションＪＰＥＧ２０００などの規格においては、元々の映像ソースに対してウェーブレット変換処理を行うことで、解像度が元ソースの１／２や１／４、１／８となった映像ソースを作り出すことができる。そこで、本実施例のディスプレイ構体を表示画面として利用するディスプレイ／モニタ装置は、映像ソースの解像度を、例えばユーザー入力や予め保持されている設定情報などに基づいて切り替えるソース解像度切替部をさらに有していても良い。
【００３２】
以上のように、本実施例のディスプレイ構体を利用して、映像横縦比２．３５：１のデジタルシネマのジャストサイズ表示や、あるいはメインとなる例えばテレビジョン受信映像等を邪魔することのないさまざまな映像表示を行うことができる。
【００３３】
<ハードウェア構成>
図１１は、本実施例のディスプレイ構体をその表示画面とするテレビジョン装置におけるハードウェア構成の一例を表す概略図である。この図を利用して本実施例のディスプレイ構体からなる表示画面への画面表示における各ハードウェア構成の働きについて説明する。この図にあるように、テレビジョン装置は、本実施例のディスプレイ構体からなる表示画面に表示する画面を取得するためのチューナとして「チューナ部」と、「復調回路」と、を備えている。またデジタル放送用のチューナであれば「誤り訂正部」と、「トランスポートデコーダ」、「ＭＰＥＧデコーダ」、「ビデオエンコーダ」、「音声ＤＡＣ」などを備えている。
【００３４】
また、その他に映像を取得するため、例えば「外部不揮発性メモリカード」や「記憶処理部」、また「第１外部記憶装置」や「第二外部記憶装置」、「外部接続部」なども備えている。あるいは通信部によるネットワーク上の動画サーバなどから映像を取得しても良い。
【００３５】
また、各種演算処理を行うための「ＣＰＵ（中央演算装置）」や「ＲＡＭ（メインメモリ）」、ユーザーからのチャンネル操作を受け付けるリモコン用の「受光部」や操作パネルなどの「操作部」、システムプログラムを格納する「ＲＯＭ」などを備え、上記複数のチューナからの映像を、有効表示領域の横縦比が２１：９のディスプレイ構体に対して出力する処理を行う。
【００３６】
具体的には、まず、ユーザーのリモコン操作によるチャンネル選局信号を「受光部」にて取得、復調し、その選局に合わせチューナの同調回路が制御される。そして「チューナ部」より取り出された選局放送波が「復調回路」にて復調処理され、アナログ／デジタル映像信号として取得される。
【００３７】
そしてアナログ映像信号であればそのまま表示画面に表示する映像信号を格納する図示しないグラフィックメモリに対して出力される。またデジタル映像信号であれば、「トランスポートデコーダ」や「ＭＰＥＧデコーダ」、「ビデオエンコーダ」の処理を経てグラフィックメモリに対して出力される。
【００３８】
そして、グラフィックメモリ上ではディスプレイ構体の表示解像度に合わせて例えば横２１００、縦９００ピクセル分のメモリが確保されている。そして、上記出力された映像信号で示される映像が横縦比２１：９、解像度２１００×９００ピクセルの映像であれば、その映像信号はグラフィックメモリ上で確保されている全てのメモリに格納される。そして、ディスプレイ構体に横縦比が２１：９の映像として表示される。
【００３９】
また、上記出力された映像が横縦比１６：９、解像度１６００×９００ピクセルの映像であれば、例えばグラフィックメモリの左側のメモリに寄せて映像信号が格納される。するとグラフィックメモリの右側には表示すべき映像のデータが格納されていないので、その場合には、例えば以下のようにして右側の余白メモリに格納する映像のデータを取得する。
【００４０】
例えば、放送番組である映像信号を取得した際に放送波に多重化して含まれているデータ放送の信号を取得し、５００ピクセル×９００ピクセルの映像信号としてグラフィックメモリ上の右側余白メモリに格納しても良い。あるいは、同様に放送波に多重化して送信され、受信後は所定の「ＲＡＭ」に格納されている電子番組表を表示するための信号をグラフィックメモリ上の右側余白メモリに格納しても良い。また、その他の映像再生機器や外部機器などから取得した映像信号をグラフィックメモリ上の右側余白メモリに格納しても良い。そしてそのようにして右側に解像度１６００×９００ピクセルの映像信号が格納され、残りの右側にデータ放送などの映像信号が格納されると、それらを合わせた画面がディスプレイ構体上に表示される、という具合である。
【００４１】
また、本実施例のテレビジョン装置は、さらに「ＯＳＤ（オンスクリーン・ディスプレイ）表示部」を備え、ディスプレイ構体に対してＯＳＤ表示を行うよう構成されていても良い。
【００４２】
<効果の簡単な説明>
以上のように、有効表示領域の横：縦が、２０．７：９から２２．０５：９の範囲である本実施例のディスプレイ構体を表示画面に利用することで、映像横縦比２．３５：１のデジタルシネマのジャストサイズ表示や、あるいはメインとなる例えばテレビジョン受信映像等を邪魔することのないさまざまな映像表示を行うことができる。
【００４３】
≪実施例２≫
<概要>
図１２は、本実施例のテレビジョン装置による映像表示の一例を表す概略図である。この図にあるように、本実施例のテレビジョン装置は、上記実施例１にて説明したような有効表示領域の横縦比が例えば２１：９などであるディスプレイ構体をその表示画面とするテレビジョン装置である。そして、その表示画面中に、チューナ１にて受信した映像横縦比１６：９の一の映像αを縦がいっぱいになるよう表示する。また、その映像αの表示によって余白部分となる有効表示領域右側の５：９の領域に、別のチューナ２や図示しないチューナ３で受信した映像βを縦に並べて表示する、という具合である。
【００４４】
このようにして、有効表示領域が２０．７：９から２２．０５：９の範囲であるディスプレイ構体を利用して、メインの映像を横：縦＝１６：９として例えば左寄せに縦いっぱいに表示し、サブの映像を横：縦＝１６：９として右余白に縦に並べて表示することで、例えば４つのチューナからの映像を同時に画面内にぴったりと収まるように効率的に表示することができる。
【００４５】
<機能的構成>
図１３は、本実施例のテレビジョン装置における機能ブロックの一例を表す図である。この図にあるように、本実施例の「テレビジョン装置」（１３００）は、「複数のチューナ」（１３０１）と、「選局操作部」（１３０２）と、「ディスプレイ構体」（１３０３）と、「決定部」（１３０４）と、「表示信号処理部」（１３０５）と、を有している。
【００４６】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００４７】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００４８】
「複数のチューナ」（１３０１）は、放送を受信するための構成要件であり、本発明のテレビジョン装置ではそのチューナが複数備えられていることを特徴とする。また、「複数」とは、例えば地上アナログ放送用チューナを２基、といった具合に同放送種別のチューナを複数備える構成であっても良いし、地上デジタル放送用チューナやＢＳ／ＣＳ放送用チューナといった具合に異なる放送種別の組み合わせなどであっても構わない。
【００４９】
なおこのチューナは、具体的には通常のチューナ同様、例えばアンテナ接続端子やチャンネル選局用の同調回路、復調回路、信号増幅器、またデジタル放送用のチューナであれば復号回路などで実現することができる。そして本実施例のテレビジョン装置では以下の構成を備えることで、このぞれぞれのチューナで受信された複数の映像コンテンツやデータ放送などを、上記実施例１で説明したディスプレイ構体からなる表示画面に効率的に同時表示することができる。
【００５０】
「選局操作部」（１３０２）は、チューナの選局操作を行うための機能を有し、例えばリモコンや操作パネルなどのユーザーインターフェースとなる入力デバイスや、その入力デバイスで受け付けた操作信号に応じて前記チューナの同調回路を制御する同調制御機構などで実現することができる。
【００５１】
そして本発明のテレビジョン装置は、この選局操作部での選局操作に応じて、例えば実施例３や４で後述するように同時チャンネル変更や主として表示する映像の切り替えなど、画面表示をさまざまに制御することができる。
【００５２】
「ディスプレイ構体」（１３０３）は、上記実施例１で説明したディスプレイ構体であって、具体的には有効表示領域の横：縦が、例えば２１：９などの２０．７：９から２２．０５：９の範囲であるディスプレイ構体である。なお、ディスプレイ構体の詳細は上記実施例１にて記載済みであるのでその説明は省略する。
【００５３】
「決定部」（１３０４）は、複数のチューナのうちメイン選択チューナとサブ選択チューナとを決定する機能を有する。「メイン選択チューナ」とは、表示画面中に主として表示される映像を受信するためのチューナをいう。また「主として表示」とは、後述する映像処理部によって、それ以外（副）の映像よりも大きく表示されることをいう。逆に「サブ選択チューナ」とは、表示画面中に副として表示され、後述する映像処理部によって主の映像よりも小さく表示される映像を受信するためのチューナをいう。
【００５４】
この決定部におけるメイン選択／サブ選択チューナの決定方法は、例えばリモコンや操作パネル上にメイン／サブチューナ選択ボタンなどを設けたり、表示画面にユーザーの選択入力を促すＧＵＩ（グラフィカル・ユーザーインターフェース）などを表示したりすることで、ユーザーが選択したチューナをメイン選択チューナとして決定する方法が挙げられる。
【００５５】
また、このユーザー操作によるメイン選択チューナ／サブ選択チューナの決定に関しては、例えば「メリーゴーランド型」で決定するよう構成しても良い。これは、メイン映像が表示される領域を１、サブ映像が表示される領域を上から２，３，４として、ボタン押下によって１の映像は２に、２の映像は３に、３の映像は４に、４の映像は１になるように正方向あるいは逆方向に回転させながらメイン／サブを切り替える決定方法である。このようにして４種の映像が回転しながら切り替わることで、その画面表示にエンターテインメント性を持たせることができるようになる。
【００５６】
またテレビジョン装置の起動時には、例えばデフォルト、あるいはユーザー設定などによってＥＥＰＲＯＭに格納されている図１４に示すような優先度の設定情報に基づいて決定する方法が挙げられる。あるいはユーザー操作によるメイン／サブの決定回数の履歴を同様にＥＥＰＲＯＭに格納しておき、メイン選択チューナとしての決定回数が多いチューナを優先的にメイン選択チューナと決定する方法なども挙げられる。
【００５７】
あるいは、ユーザーが予めキーワードやジャンル、趣味嗜好情報を登録しておき、電子番組表の中から登録情報に合致する放送番組がある場合に、その放送番組を受信するチューナをメイン選択チューナとして決定するよう構成しても良い。また、災害発生などの情報を外部サーバから取得した場合には、公共放送であるＮＨＫ（登録商標）を受信するチューナをメイン選択チューナとして決定するよう構成しても良い。
【００５８】
このようにして、決定部によって複数のチューナのそれぞれがメイン（主）あるいはサブ（副）のチューナに決定される。そして次の表示信号処理部において有効表示領域の横縦比が例えば２１：９などのディスプレイ構体に、決定されたメイン／サブの映像が効率的に同時表示される。
【００５９】
「表示信号処理部」（１３０５）は、メイン選択チューナからの映像と、サブ選択チューナからの映像を以下のようにディスプレイ構体の有効表示領域中で表示されるよう信号を処理する機能を有する。この表示信号処理部では、まずメイン選択チューナからの映像に関し横：縦＝１６：９として有効表示領域の縦をいっぱいに利用して左寄せ又は右寄せにて右余白又は左余白を残して表示されるよう信号を処理する。具体的には、図１２中の映像αがメイン選択チューナからの映像となる。
【００６０】
また、それに加えて表示信号処理部は、サブ選択チューナからの映像を横：縦＝１６：９として前記右余白又は左余白に縦に並べて表示されるように信号を処理する。具体的には、図１２中の映像βなどがサブ選択チューナからの映像となる。
【００６１】
また、本来の横縦比が１６：９ではない映像ソースに関しては、例えばスクィーズ処理などの横縦比変換処理を行い、適宜横縦比を１６：９に調整処理すると良い。
【００６２】
このように本実施例のテレビジョン装置では、上記実施例１のディスプレイ構体でなる表示画面上に複数のチューナで受信した複数の映像を、映像横縦比１６：９として画面内にぴったりと収まるように効率的に同時に表示することができる。
【００６３】
<その他の機能的構成１>
また、本実施例のテレビジョン装置は、図１５から図２２に示すような構成要件を有し、有効表示領域の横縦比が例えば２１：９などのディスプレイ構体に、さまざまな映像を表示するよう構成されていても良い。
【００６４】
図１５は、本実施例におけるテレビジョン装置の機能ブロックの、別の一例を表す図である。この図にあるように、本実施例の別の「テレビジョン装置」（１５００）は、上記同様、「複数のチューナ」（１５０１）と、「選局操作部」（１５０２）と、「ディスプレイ構体」（１５０３）と、「決定部」（１５０４）と、を有している。なお、これら構成要件については既に記載済みであるのでその説明は省略する。また、複数のチューナは一基のチューナであっても構わない。その場合、決定部では自動的にメイン選択チューナをその一基のチューナに決定し、サブ選択チューナは無し、と決定する。あるいはその一基のチューナをメイン選択チューナかつサブ選択チューナと決定しても良い。以下、その他のテレビジョン装置も同様に複数のチューナの代わりに、一基のチューナのみ有して、そのチューナにて例えば多重化されている複数の映像を取得しても良い。
【００６５】
そして、この別のテレビジョン装置の特徴点は、さらに「第二表示信号処理部」（１５０５）を有する点である。
【００６６】
「第二表示信号処理部」（１５０５）は、上記「表示信号処理部」と同様に、メイン選択チューナからの映像を横：縦＝１６：９として有効表示領域の縦をいっぱいに利用して右余白又は／及び左余白を残して表示するよう信号を処理する。
【００６７】
そして、表示信号処理部との相違点は、残りの余白領域に、複数のチューナのいずれか一以上のチューナにて受信するデータ放送の内容を表示するよう信号を処理する点である。このような第二表示信号処理部の信号処理によって、この別のテレビジョン装置では、有効表示領域の横縦比が例えば２１：９であるディスプレイ構体上にて図５（ａ）に示すような映像表示を行うことができる。
【００６８】
<その他の機能的構成２>
図１６は、本実施例におけるテレビジョン装置の機能ブロックの、また別の一例を表す図である。この図にあるように、本実施例のまた別の「テレビジョン装置」（１６００）は、上記同様、「複数のチューナ」（１６０１）と、「選局操作部」（１６０２）と、「ディスプレイ構体」（１６０３）と、「決定部」（１６０４）と、を有している。なお、これら構成要件については既に記載済みであるのでその説明は省略する。
【００６９】
そして、このまた別のテレビジョン装置の特徴点は、さらに「第三表示信号処理部」（１６０５）を有する点である。
【００７０】
「第三表示信号処理部」（１６０５）も、上記「表示信号処理部」と同様に、メイン選択チューナからの映像を横：縦＝１６：９として有効表示領域の縦をいっぱいに利用して右余白又は／及び左余白を残して表示するよう信号を処理する。
【００７１】
そして、その他の表示信号処理部との相違点は、残りの余白領域に、複数のチューナのいずれか一以上のチューナにて受信する電子番組表の内容を表示するよう信号を処理する点である。このような第三表示信号処理部の信号処理によって、この別のテレビジョン装置では、有効表示領域の横縦比が例えば２１：９であるディスプレイ構体上にて図５（ｂ）に示すような映像表示を行うことができる。また、「第三表示信号処理部」にて、第二表示信号処理部と同様にデータ放送などを余白領域に表示するよう信号処理することで、図５（ｂ）に示すように例えば他球場の経過などを表示するよう構成しても良い。
【００７２】
<その他の機能的構成３>
図１７は、本実施例におけるテレビジョン装置の機能ブロックの、また別の一例を表す図である。この図にあるように、本実施例のまた別の「テレビジョン装置」（１７００）は、上記同様、「複数のチューナ」（１７０１）と、「選局操作部」（１７０２）と、「ディスプレイ構体」（１７０３）と、「決定部」（１７０４）と、を有している。なお、これら構成要件については既に記載済みであるのでその説明は省略する。
【００７３】
そして、このまた別のテレビジョン装置の特徴点は、さらに「第四表示信号処理部」（１７０５）を有する点である。
【００７４】
「第四表示信号処理部」（１７０５）も、上記「表示信号処理部」と同様に、メイン選択チューナからの映像を横：縦＝１６：９として有効表示領域の縦をいっぱいに利用して右余白又は／及び左余白を残して表示するよう信号を処理する。
【００７５】
そして、その他の表示信号処理部との相違点は、メイン選択チューナが受信している信号に主画面の他に副画面用の映像信号が含まれている場合には、残りの余白領域に副画面の内容を表示するように信号を処理する点である。なお、上記判断は演算回路などで構成される判断部によって実行されると良い。
【００７６】
そして、このような第四表示信号処理部の信号処理によって、主画面と文字放送などの副画面とを、有効表示領域の横縦比が例えば２１：９であるディスプレイ構体にて同時に表示することができる。また、この主画面と副画面の表示において、主画面がコマーシャルである場合、このテレビジョン装置は以下のような構成をさらに有していても良い。
【００７７】
図１８は、テレビジョン装置のさらに別の機能ブロックの一例を表す図である。この図にあるように、このテレビジョン装置は、上記構成に加え「コマーシャル判断部」（１８０５）をさらに有し、また上記構成の第四表示信号処理部の代わりに「第五表示信号処理部」（１８０６）を有する点を特徴とする。
【００７８】
「コマーシャル判断部」（１８０５）は、メイン選択チューナで受信している番組がコマーシャルであるか判断する機能を有する。この判断処理はＣＰＵなどの演算回路で実現することができる。そして、例えば音声フォーマットがモノラル音声や２ヶ国語音声以外のステレオ音声であればコマーシャルと判断する、という具合である。
【００７９】
「第五表示信号処理部」（１８０６）は、上記「表示信号処理部」と同様に、メイン選択チューナからの映像を横：縦＝１６：９として有効表示領域の縦をいっぱいに利用して右余白又は／及び左余白を残して表示するよう信号を処理する。
【００８０】
そして、その他の表示信号処理部との相違点は、前記メイン選択チューナが受信している信号に主画面の他に副画面用の映像信号が含まれ、かつ、コマーシャル判断部での判断結果がコマーシャルであるとの判断結果である場合には、残りの余白領域に副画面の内容を表示するように信号を処理する点である。このような第五表示信号処理部の信号処理によって、このテレビジョン装置では有効表示領域の横縦比が例えば２１：９であるディスプレイ構体上に、図６に示すようにコマーシャルを主として表示し、その余白領域に例えば副画面用として取得したスポーツ中継などの映像を表示することができる。
【００８１】
<その他の機能的構成４>
図１９は、本実施例におけるテレビジョン装置の機能ブロックの、また別の一例を表す図である。この図にあるように、本実施例のまた別の「テレビジョン装置」（１９００）は、上記同様の構成を有し、さらに「電子メモ部」（１９０５）を有する点と、各表示信号処理部の代わりに「第六表示信号処理部」（１９０６）を有する点を特徴とする。
【００８２】
「電子メモ部」（１９０５）は、電子メモの入力を受け付けるとともに映像信号に変換して保持する機能を有する。この電子メモ部は、例えばリモコンや操作パネル、キーボードなどの入力デバイスと、その入力デバイスでの入力信号を保持するフラッシュメモリなどの記憶装置によって実現することができる。
【００８３】
「第六表示信号処理部」（１９０６）も、上記「表示信号処理部」と同様に、メイン選択チューナからの映像を横：縦＝１６：９として有効表示領域の縦をいっぱいに利用して右余白又は／及び左余白を残して表示するよう信号を処理する。
【００８４】
そして、その他の表示信号処理部との相違点は、電子メモ部が映像信号に変換した電子メモを保持している場合には、その電子メモを残りの余白領域に表示するように信号を処理する点である。また、電子メモ部に電子メモが保持されていない場合には、予め設定された壁紙や、その他チューナから取得した映像を表示すると良い。そして、このような第六表示信号処理部の信号処理によって、この別のテレビジョン装置では、図７（ａ）に示すような映像表示を、有効表示領域の横縦比が例えば２１：９であるディスプレイ構体にて実行することができる。また、「第六表示信号処理部」にて、デジタル放送波に含まれるデータダウンロードのお知らせなどの情報を余白領域に表示するよう信号処理することで、図７（ｂ）に示すような表示を行うよう構成しても良い。
【００８５】
<その他の機能的構成５>
図２０は、本実施例におけるテレビジョン装置の機能ブロックの、また別の一例を表す図である。この図にあるように、本実施例のまた別の「テレビジョン装置」（２０００）は、上記同様の構成を有し、さらに「コマーシャル残り時間計算部」（２００５）を有する点と、各表示信号処理部の代わりに「第七表示信号処理部」（２００６）を有する点を特徴とする。
【００８６】
「コマーシャル残り時間計算部」（２００５）は、受信している映像信号がコマーシャルの映像信号である場合には、そのコマーシャルの終了までの時間、又は、そのコマーシャルを含むコマーシャル時間枠の終了までの時間を計算する機能を有する。このコマーシャル残り時間計算部におけるコマーシャルか否かの判断処理は、例えば上述のようにその音声フォーマットを利用して行うことができる。そして、例えばコマーシャル映像と判断された映像情報に付加などされているその放送時間情報からタイマーでカウントされた時間を減じる処理を演算回路にて行うことで残り時間を計算する、という具合である。
【００８７】
「第七表示信号処理部」（２００６）は、上記「表示信号処理部」と同様に、メイン選択チューナからの映像を横：縦＝１６：９として有効表示領域の縦をいっぱいに利用して右余白又は／及び左余白を残して表示するよう信号を処理する。
【００８８】
そして、その他の表示信号処理部との相違点は、コマーシャル残り時間計算部で計算された時間がメイン選択チューナが受信している映像信号に関するものである場合には、その計算されたコマーシャルの残り時間を余白領域に表示するように信号を処理する点である。また、この信号処理においては、計算結果の残り時間を数字として表示する以外に、例えばバー状の表示によって残り時間を表現などしても良い。
【００８９】
そしてこのような第七表示信号処理部の信号処理によって、この別のテレビジョン装置では、図８に示すような映像表示を、有効表示領域の横縦比が例えば２１：９であるディスプレイ構体にて実行することができる。
【００９０】
<その他の機能的構成６とその処理の流れ>
図２１は、本実施例におけるテレビジョン装置の機能ブロックの、さらに別の一例を表す図である。この図にあるように、本実施例のさらに別の「テレビジョン装置」（２１００）は、上記同様の構成を有し、さらに「外部映像ソース取得部」（２１０６）を有する点と、表示信号処理部が「外部表示信号処理手段」を備える点を特徴とする。
【００９１】
「外部映像ソース取得部」（２１０６）は、デジタルカメラ、パソコン、ＤＶＤプレイヤー、ＨＤＤプレイヤー、携帯型動画プレイヤー、デジタルカメラ付電子機器、監視カメラ、電子ゲーム機などの外部映像ソース機器からの映像を取得する機能を有する。
【００９２】
「外部表示信号処理手段」（２１０７）は、表示信号処理部での映像を表示するための信号処理において、前記チューナからの映像に加えて、又は部分的に代えて、さらに又は全部を代えて、外部映像ソース機器のいずれか一以上の映像を利用することを特徴とする。つまり、外部表示信号処理手段は、前記チューナからの映像に加えて、又は部分的に代えて、さらに又は全部を代えて、外部映像ソース機器のいずれか一以上の映像を横：縦＝１６：９として有効表示領域の縦をいっぱいに利用して左寄せ又は右寄せにて右余白又は左余白を残して表示し、又は／及び横：縦＝１６：９として前記右余白又は左余白に縦に並べて表示されるように信号を処理する、という具合である。
【００９３】
そして、このような表示信号処理部および外部表示信号処理手段における信号処理によって、このテレビジョン装置では、図７（ｂ）に示すように，例えば外部映像ソース機器である監視カメラからの映像を有効表示領域の横縦比が例えば２１：９であるディスプレイ構体の余白領域に表示することができる。
【００９４】
また図２２は、このようなテレビジョン装置における処理の流れの一例を表すフローチャートである。なお、以下に示すステップは、媒体に記録され計算機を制御するためのプログラムを構成する処理ステップであっても構わない。この図にあるように、まず、複数の映像入力部にてそれぞれ外部映像ソース機器からの映像を取得すると、その複数の映像入力部のうちメイン選択入力部とサブ選択入力部とを決定する（ステップＳ２２０１）。そして、メイン選択入力部からの映像を横：縦＝１６：９として有効表示領域の縦をいっぱいに利用して左寄せ又は右寄せにて右余白又は左余白を残して表示されるよう信号を処理し（ステップＳ２２０２）、またサブ選択入力部からの映像を横：縦＝１６：９として前記右余白又は左余白に縦に並べて表示されるように信号を処理する（ステップＳ２２０３）。そしてその処理結果に従い、例えば有効表示領域の横：縦が２１：９であるディスプレイ構体からなる表示画面にメイン選択入力部にて入力された外部映像ソース機器１の映像と、サブ選択入力部にて入力された外部映像ソース機器２からの映像を表示する。
【００９５】
もちろん、上記ステップにおいて映像を取得するソースとしてチューナと外部映像ソース機器とが混在していても構わない。
【００９６】
<その他の機能的構成７とその処理の流れ>
またこのテレビジョン装置は、図９を用いて説明したように映像ソース上の字幕が例えば２１：９などのテレビジョン構体上には全て表示し切れない場合、さらに詳細に以下のような構成を備えることで字幕の表示位置を調整するよう構成されていても良い。
【００９７】
図２３は、その字幕位置調整機能を備えたテレビジョン装置の機能ブロックの一例を表す図である。この図にあるように、本実施例の別の「テレビジョン装置」（２３００）は、上記同様の構成を有し、さらに「調整部」（２３０８）を有する点を特徴とする。
【００９８】
「調整部」（２３０８）は、チューナ又は外部映像ソース機器から映像信号を取得するとともに、取得した映像信号にそのままでは全て有効表示領域に表示できない字幕などの文字・記号が含まれている場合には、それらの文字記号が有効表示領域内に欠落することなく全て表示できるように調整する機能を有する。この調整部は、例えば文字や記号が含まれているかの判断や、それらが全て有効表示領域内に収まるかの判断を行うための演算回路によって実現することができる。そしてその判断結果に基づいて字幕の表示位置を調整する、という具合である。
【００９９】
具体的には、図１０を用いて説明したように、例えば字幕部分と映像部分とが別データで、ディスプレイ構体への出力時に両データが重畳され表示する形態であれば、フラッシュメモリなどに保持している２１：９ディスプレイ表示時の字幕データの表示位置情報を利用して字幕データの映像上の表示位置を調整する。また、１６：９映像ソースにおいて字幕部分と映像部分とが一体のデータとして取得される場合は、前述のように形状パターンマッチングなどによる字幕部分の抽出処理を行い、同じくフラッシュメモリなどに保持している２１：９ディスプレイ表示時の字幕データの表示位置情報を利用して抽出した字幕の映像データ上での合成位置を調整する、という具合である。
【０１００】
そして、このような表示信号処理部および外部表示信号処理手段における信号処理によって、このテレビジョン装置では、横縦比が例えば２１：９などに適合していない状態で字幕が表示されるよう構成されている映像データにおいても全ての字幕が表示できるよう調整することができる。
【０１０１】
また図２４は、このようなテレビジョン装置における処理の流れの一例を表すフローチャートである。なお、以下に示すステップは、媒体に記録され計算機を制御するためのプログラムを構成する処理ステップであっても構わない。この図にあるように、まずチューナ又は外部映像ソース機器から映像信号を取得し（ステップＳ２４０１）、その取得した映像信号に字幕などの文字・記号が含まれているか判断する（ステップＳ２４０２）。そして文字や記号が含まれているとの判断結果が出力された場合、それらも字や記号がそのままでは全て有効表示領域に表示できないかの判断を行う（ステップＳ２４０３）。そして、文字や記号の全てが有効表示領域に表示できないとの判断結果が出力された場合、それらの文字記号が有効表示領域内に欠落することなく全て表示できるように調整する（ステップＳ２４０４）。
【０１０２】
<ハードウェア構成>
図２５は、上記機能的な各構成要件をハードウェアとして実現した際の、テレビジョン装置における構成の一例を表す概略図である。この図を利用して複数のチューナからの映像の信号表示処理におけるそれぞれのハードウェア構成部の働きについて説明する。この図にあるように、テレビジョン装置は、チューナとして「チューナ部」と、「復調回路」と、を（図示は省略しているが複数）備えている。また、デジタル放送用のチューナであれば「誤り訂正部」と、「トランスポートデコーダ」、「ＭＰＥＧデコーダ」、「ビデオエンコーダ」、「音声ＤＡＣ」などを備えている。
【０１０３】
また、上記複数のチューナにて受信した映像を表示制御するための決定部及び表示信号処理部である「ＣＰＵ（中央演算装置）」や「ＲＡＭ（メインメモリ）」、選局操作部である「ユーザーＩ／Ｆ」なども備えている。さらに、「ＲＯＭ（二次記憶装置１）」、「不揮発性補助記憶装置（二次記憶装置２）」、「入出力Ｉ／Ｆ」などを備え、上記複数のチューナからの映像を、有効表示領域の横縦比が２１：９のディスプレイ構体に対して出力する処理を行う。
【０１０４】
具体的には、まず、ユーザーのリモコン操作によるチャンネル選局信号を「ユーザーＩ／Ｆ」にて取得、復調する。すると、そのチャンネル選局信号に応じて図示しないチューナの同調回路が制御され、ユーザーによって選局されたチャンネルの放送波が「チューナ部」より取り出される。そして、取り出された放送波は「復調回路」にて復調処理され、アナログ／デジタル映像信号として取得される。
【０１０５】
そしてアナログ映像信号であればそのままディスプレイ構体に対して出力される。またデジタル映像信号であれば、「トランスポートデコーダ」や「ＭＰＥＧデコーダ」、「ビデオエンコーダ」の処理を経てディスプレイ構体に対して出力される。
【０１０６】
そして、このようにディスプレイ構体に対して出力される複数のチューナからのアナログ／デジタル映像信号に関し、本実施例のディスプレイ装置は以下のような処理によって図１２に示すような画面表示を実現する。具体的には、例えば「ＲＯＭ」に保持されているユーザー設定情報を読み出し「ＲＡＭ」に格納する。このユーザー設定情報には、例えば図１４で示すようにチューナごとに優先度が予め設定されていて、その優先度に基づいてＣＰＵはチューナごとにそのチューナがメイン選択チューナ、サブ選択チューナになるかのフラグを設定する。
【０１０７】
そしてこのようにして設定したフラグに従い、まずメイン選択チューナからの映像を横：縦＝１６：９として有効表示領域の縦をいっぱいに利用して例えば左寄せ又は右余白を残すよう「グラフィックメモリ」に格納する。また、サブ選択チューナからの映像を、横：縦＝１６：９としてその右余白に縦に並べて表示されるようグラフィックメモリに格納する。そして、例えば有効表示領域の横：縦が２１：９であるディスプレイ構体からなる「表示画面」に、その「グラフィックメモリ」に格納された映像を出力表示することで、図１２に示すような画面表示を行う、という具合である。
【０１０８】
また、本実施例のテレビジョン装置は、さらに「ＯＳＤ（オンスクリーン・ディスプレイ）表示部」を備え、ディスプレイ構体に対してＯＳＤ表示を行うよう構成されていても良い。また、その場合一画面上にＯＳＤ表示するよう処理しても良いし、メイン選択チューナからの映像にのみＯＳＤ表示するよう処理しても良い。またメイン選択チューナや各サブ選択チューナでそれぞれ別のＯＳＤ表示処理を行うよう構成しても良い。
【０１０９】
また、本実施例のテレビジョン装置は、前述のようにデジタルカメラ、パソコン、ＤＶＤプレイヤー、ＨＤＤプレイヤー、携帯型動画プレイヤー、デジタルカメラ付電子機器、監視カメラ、電子ゲーム機、あるいはインターネット上の動画サーバなどの外部映像ソース機器からの入出力手段を備えていても良い。具体的には「ＬＡＮ／ＨＤＭＩポート」や「モデムポート」、「映像入出力端子」などを備え、チューナからのみならず外部機器やインターネット上の映像配信サーバから映像や情報を取得し、ディスプレイ構体上のメイン／サブ領域などに表示するよう構成しても良い。あるいは「不揮発性補助記憶装置」や図示しない「ＨＤＤ」などの二次記憶装置に蓄積されている映像をディスプレイ構体上のメイン／サブ領域などに表示するよう構成しても良い。
【０１１０】
<処理の流れ>
図２６は、本実施例のテレビジョン装置における処理の流れの一例を表すフローチャートである。なお、以下に示すステップは、媒体に記録され計算機を制御するためのプログラムを構成する処理ステップであっても構わない。この図にあるように、まず、複数のチューナにて映像を取得すると、その複数のチューナのうちメイン選択チューナとサブ選択チューナとを決定する（ステップＳ２６０１）。そして、メイン選択チューナからの映像を横：縦＝１６：９として有効表示領域の縦をいっぱいに利用して左寄せ又は右寄せにて右余白又は左余白を残して表示されるよう信号を処理し（ステップＳ２６０２）、またサブ選択チューナからの映像を横：縦＝１６：９として前記右余白又は左余白に縦に並べて表示されるように信号を処理する（ステップＳ２６０３）。そしてその処理結果に従い、例えば有効表示領域の横：縦が２１：９であるディスプレイ構体からなる表示画面にメイン選択チューナからの映像と、サブ選択チューナからの映像を表示する。
【０１１１】
<効果の簡単な説明>
以上のように本実施例のテレビジョン装置によって横縦比２１：９の表示画面中にメイン選択チューナからの映像横縦比１６：９の一の映像を縦がいっぱいになるよう表示することができる。またその余白領域に、サブ選択チューナからの映像横縦比１６：９の映像を縦に並べて表示することができるので、横縦比２１：９の表示画面中に複数のチューナからの映像を同時に画面内にぴったりと収まるように効率よく表示することができる。
【０１１２】
≪実施例３≫
<概要>
本実施例は、実施例２のテレビジョン装置を基本として、地上アナログ放送、地上デジタル放送、ＢＳ放送、ＣＳ放送、あるいはＣＡＴＶの５つの放送種別のうち４つの組み合わせに対応するチューナを備えていることを特徴とする。そして、さらにこの４つのチューナの中で決定されたメイン選択チューナとサブ選択チューナに対する選局操作に関して、以下のような特徴点を有するテレビジョン装置である。
【０１１３】
図２７は、本実施例のテレビジョン装置における選局操作の一例を表す概念図である。この図２７（ａ）にあるように、本実施例のテレビジョン装置において、例えば横縦比２１：９の表示画面上に縦いっぱいの左寄せでメイン選択チューナ（ここではＢＳ放送用チューナ）からの映像が表示されている。また、右側の余白部分にＢＳ放送用チューナ以外の３つのサブ選択チューナからの映像が縦に並べて表示されている。
【０１１４】
ここで、ユーザーがチャンネル選局のために「チャンネルアップ（ダウン）ボタン」を押下すると、図２７（ｂ）に示すように本実施例のテレビジョン装置では、全てのチューナに対してチャンネルアップ（ダウンの）送り選局処理を実行する、という具合である。
【０１１５】
このように、主要４放送種別のチューナを備え、かつその４つの放送種別の映像を表示画面中に同時に表示する本発明のテレビジョン装置における送り選局操作を１回の操作によって簡単に行うことができる。
【０１１６】
<機能的構成>
図２８は、本実施例のテレビジョン装置における機能ブロックの一例を表す図である。この図にあるように、本実施例の「テレビジョン装置」（２８００）は、実施例２を基本として、「複数のチューナ」（２８０１）と、「選局操作部」（２８０２）と、「ディスプレイ構体」（２８０３）と、「決定部」（２８０４）と、「表示信号処理部」（２８０５）と、を有している。なお、これら「複数のチューナ」と「選局操作部」と「ディスプレイ構体」と「決定部」と「表示信号処理部」については上記実施例２にて記載済みであるのでその説明は省略する。
【０１１７】
そして、本実施例の特徴点の一つは、前述の通り「複数のチューナ」（２８０１）が「地上デジタル放送用チューナ」（２８０１ａ）、「地上アナログ放送用チューナ」（２８０１ｂ）、「ＢＳ放送用チューナ」（２８０１ｃ）、「ＣＳ放送用チューナ」（２８０１ｄ）、あるいは図示しない「ＣＡＴＶ用チューナ」のいずれか４つの組み合わせである点である。そして本実施例の更なる特徴点は、操作選局部が「同時送り選局手段」（２８０６）を有する点である。なお、４つのチューナの組み合わせは、ＣＳ放送用チューナが２基、ＢＳ放送用チューナが２基の計４つ、といった放送種別を重複した組み合わせであっても良い。
【０１１８】
「同時送り選局手段」（２８０６）は、送り選局ボタン操作で上記チューナのうちの複数のチューナのチャンネルを同時に送り選局可能とする機能を有する。「送り選局ボタン」とは、チャンネルのアップ／ダウンを示すボタンをいう。もちろん、チャンネルのアップダウンはプリセットなどによって使用されていない周波数帯をスキップするよう構成されていても良い。
【０１１９】
そして、この同時送り選局手段は、具体的には例えばリモコンや操作パネルなどの入力デバイス、そしてチューナの同調回路やその制御回路、及び受け付けた送り選局ボタン操作信号に対し複数の同調回路を同時に制御するよう構成された制御プログラムによって実現することができる。またリモコンなどには同時選択ボタンなどを設け、そのボタンが押された場合には同時送り選局手段による選局処理を実行し、そのボタンが押されなければ、従来通り指定された放送種別のみの個別選局処理を実行するよう構成しても良い。さらに同時送り選局手段はディスプレイの表示領域内に同時に表示されている複数のチューナにより選択されている画面であれば、その画面の配置は限定されていなくともよい。たとえば画面を日の字に二分割したり、田の字に四分割したり、目の字に三分割したり、品の字のように３画面を配置したり、回の字のように画面内画面としたり、又はこれらの画面配置を組み合わせたりする場合にそれぞれの画面のチャンネルを同時送りするように構成しても良い。
【０１２０】
<処理の流れ>
図２９は、本実施例のテレビジョン装置における処理の流れの一例を表すフローチャートである。なお、以下に示すステップは、媒体に記録され計算機を制御するためのプログラムを構成する処理ステップであっても構わない。この図にあるように、まず、地上デジタル放送用チューナ、地上アナログ放送用チューナ、ＢＳ放送用チューナ、ＣＳ放送用チューナのいずれか２以上のチューナにて映像を取得する。するとその映像を取得したチューナのうちメイン選択チューナとサブ選択チューナとを決定する（ステップＳ２９０１）。そして、メイン選択チューナからの映像を横：縦＝１６：９として有効表示領域の縦をいっぱいに利用して左寄せ又は右寄せにて右余白又は左余白を残して表示されるよう信号を処理し（ステップＳ２９０２）、またサブ選択チューナからの映像を横：縦＝１６：９として前記右余白又は左余白に縦に並べて表示されるように信号を処理する（ステップＳ２９０３）。そしてその処理結果に従い、例えば有効表示領域の横：縦が２１：９であるディスプレイ構体からなる表示画面にメイン選択チューナからの映像と、サブ選択チューナからの映像を表示する。
【０１２１】
また、ここで本実施例のテレビジョン装置はリモコンなどの選局操作部にて送り選局ボタン操作の受付を開始する（ステップＳ２９０４）。その後、送り選局ボタン操作を受け付ける（ステップＳ２９０５）と、上記チューナのうち、複数のチューナのチャンネルを同時に送り選局する（ステップＳ２９０６）。
【０１２２】
<効果の簡単な説明>
以上のように本実施例のテレビジョン装置によって、主要放送種別のうち４チューナを備え、かつその４つの放送種別の映像を表示画面中に同時に表示する本発明のテレビジョン装置における送り選局操作を一の操作によって簡単に行うことができる。
【０１２３】
≪実施例４≫
<概要>
本実施例は、実施例２や３のテレビジョン装置を基本として、横縦比が例えば２１：９のディスプレイ構体での映像表示に関し、選局操作に応じて以下のように映像表示を行うことを特徴とするテレビジョン装置である。
【０１２４】
図３０は、本実施例のテレビジョン装置における映像表示の一例を表す概念図である。この図３０（ａ）にあるように、本実施例のテレビジョン装置において、横縦比２１：９の表示画面上に縦いっぱいの左寄せでメイン選択チューナであるＢＳ放送の映像が表示されている。また、右側の余白部分にサブ選択チューナである地上デジタル放送などの映像が縦に並べて表示されている。
【０１２５】
ここで、ユーザーがリモコン操作によってサブ選択チューナからの映像である地上デジタル放送のチャンネル選局を実行した。すると、図３０（ｂ）に示すように本実施例のテレビジョン装置では、選局操作が行われた地上デジタル放送をメイン選択チューナとして、その映像を左側に移動し有効表示領域の縦いっぱいに横縦比１６：９で表示する。また元々メイン選択チューナであったＢＳチューナからの映像を右側の表示領域にサブ選択チューナからの映像として表示する、という具合である。
【０１２６】
<機能的構成>
図３１は、本実施例のテレビジョン装置における機能ブロックの一例を表す図である。この図にあるように、本実施例の「テレビジョン装置」（３１００）は、実施例２を基本として、「複数のチューナ」（３１０１）と、「選局操作部」（３１０２）と、「ディスプレイ構体」（３１０３）と、「決定部」（３１０４）と、「表示信号処理部」（３１０５）と、を有している。また、実施例３を基本として、「同時送り選局手段」を有していても良い。なお、これら「複数のチューナ」と「選局操作部」と「ディスプレイ構体」と「決定部」と「表示信号処理部」、あるいは「同時送り選局手段」については上記実施例２にて記載済みであるのでその説明は省略する。
【０１２７】
そして、本実施例の特徴点は、操作選局部が「チューナ別選局操作手段」（３１０６）を有し、また決定部が「選局依存決定手段」（３１０７）を有する点である。
【０１２８】
「チューナ別選局操作手段」（３１０６）は、各チューナに対して個別に選局操作を実行する機能を有する。またこの選局操作部が「同時送り選局手段」も備えている場合は、例えばリモコン操作などによって操作対象とするチューナを指定するなどの機能を備え、その指定されるチューナに対して選局操作を実行するとともに、その他のチューナも同時にその操作に応じた制御を行うよう構成すると良い。
【０１２９】
「選局依存決定手段」（３１０７）は、チューナ別選局操作手段（３１０６）のいずれか一のみが選局操作された場合には、選局操作されたチューナをメイン選択チューナと決定する機能を有する。また、すでにメイン選択チューナとして決定されていたチューナが選局操作されたチューナでない場合には、それをサブ選択チューナと決定する機能を有する。
【０１３０】
<処理の流れ>
図３２は、本実施例のテレビジョン装置における処理の流れの一例を表すフローチャートである。なお、以下に示すステップは、媒体に記録され計算機を制御するためのプログラムを構成する処理ステップであっても構わない。ここで、まず上記実施例で説明したようにして、例えば有効表示領域の横：縦が２１：９であるディスプレイ構体からなる表示画面にメイン選択チューナからの映像を横縦比１６：９で縦いっぱいに表示し、サブ選択チューナからの映像をその余白領域に横縦比１６：９で縦に並べて表示する。
【０１３１】
そして、本実施例のテレビジョン装置はリモコンなどの選局操作部で各チューナに対する個別の選局操作の受付を開始する（ステップＳ３２０１）。その後、個別の選局操作を受け付ける（ステップＳ３２０２）と、選局操作されたチューナをメイン選択チューナと決定する（ステップＳ３２０３）。
【０１３２】
ここで、ステップＳ３２０３で決定されたチューナはすでにメイン選択チューナであったか否かの判断処理を、例えばＣＰＵの論理演算処理などによって実行する（ステップＳ３２０４）。そしてその判断処理の結果、ステップＳ３２０３で決定されたチューナはメイン選択チューナではなかったとの判断処理が得られた場合、ステップＳ３２０３の前にメイン選択チューナであったチューナをサブ選択チューナと決定する（ステップＳ３２０５）。
【０１３３】
<効果の簡単な説明>
以上のように本実施例のテレビジョン装置によって、チャンネル操作を行ったチューナをメイン選択チューナとすることができる。したがって複数のチューナからの映像を同時に表示することができる本発明のテレビジョン装置において、簡単な操作でメインに視聴する映像を選択することができる。
【図面の簡単な説明】
【０１３４】
【図１】実施例１のディスプレイ構体の一例を表す図。
【図２】実施例１のディスプレイ構体にシネマスコープサイズの映像を表示した際の一例を表す図
【図３】実施例１のディスプレイ構体を利用したディスプレイ／モニタ装置における機能ブロックの一例を表す図。
【図４】実施例１のディスプレイ構体からなる表示画面における映像表示の一例を表す図。
【図５】実施例１のディスプレイ構体からなる表示画面における映像表示の一例を表す図。
【図６】実施例１のディスプレイ構体からなる表示画面における映像表示の一例を表す図。
【図７】実施例１のディスプレイ構体からなる表示画面における映像表示の一例を表す図。
【図８】実施例１のディスプレイ構体からなる表示画面における映像表示の一例を表す図。
【図９】実施例１のディスプレイ構体からなる表示画面における映像表示の一例を表す図。
【図１０】実施例１のディスプレイ構体にシネマスコープサイズの映像を表示した際の字幕表示位置の調整処理の一例を表す図
【図１１】実施例１のディスプレイ構体を利用したディスプレイ／モニタ装置におけるハードウェア構成の一例を表す概略図
【図１２】実施例２のテレビジョン装置による映像表示の一例を表す概略図
【図１３】実施例２のテレビジョン装置における機能ブロックの一例を表す図
【図１４】実施例２のテレビジョン装置の決定部での決定処理の一例を表す概略図
【図１５】実施例２のテレビジョン装置における機能ブロックの、別の一例を表す図
【図１６】実施例２のテレビジョン装置における機能ブロックの、別の一例を表す図
【図１７】実施例２のテレビジョン装置における機能ブロックの、別の一例を表す図
【図１８】実施例２のテレビジョン装置における機能ブロックの、別の一例を表す図
【図１９】実施例２のテレビジョン装置における機能ブロックの、別の一例を表す図
【図２０】実施例２のテレビジョン装置における機能ブロックの、別の一例を表す図
【図２１】実施例２のテレビジョン装置における機能ブロックの、別の一例を表す図
【図２２】実施例２の別のテレビジョン装置における処理の流れの一例を表すフローチャート
【図２３】実施例２のテレビジョン装置における機能ブロックの、別の一例を表す図
【図２４】実施例２の別のテレビジョン装置における処理の流れの一例を表すフローチャート
【図２５】実施例２のテレビジョン装置におけるハードウェア構成の一例を表す概略図
【図２６】実施例２のテレビジョン装置における処理の流れの一例を表すフローチャート
【図２７】実施例３のテレビジョン装置における選局操作の一例を表す概念図
【図２８】実施例３のテレビジョン装置における機能ブロックの一例を表す図
【図２９】実施例３のテレビジョン装置における処理の流れの一例を表すフローチャート
【図３０】実施例４のテレビジョン装置における映像表示の一例を表す概念図
【図３１】実施例４のテレビジョン装置における機能ブロックの一例を表す図
【図３２】実施例４のテレビジョン装置における処理の流れの一例を表すフローチャート
【符号の説明】
【０１３５】
１３００  テレビジョン装置
１３０１  複数のチューナ
１３０２  選局操作部
１３０３  ディスプレイ構体
１３０４  決定部
１３０５  表示信号処理部
【図１】
2008167265.tif 000003
【図２】
2008167265.tif 000004
【図３】
2008167265.tif 000005
【図４】
2008167265.tif 000006
【図５】
2008167265.tif 000007
【図６】
2008167265.tif 000008
【図７】
2008167265.tif 000009
【図８】
2008167265.tif 000010
【図９】
2008167265.tif 000011
【図１０】
2008167265.tif 000012
【図１１】
2008167265.tif 000013
【図１２】
2008167265.tif 000014
【図１３】
2008167265.tif 000015
【図１４】
2008167265.tif 000016
【図１５】
2008167265.tif 000017
【図１６】
2008167265.tif 000018
【図１７】
2008167265.tif 000019
【図１８】
2008167265.tif 000020
【図１９】
2008167265.tif 000021
【図２０】
2008167265.tif 000022
【図２１】
2008167265.tif 000023
【図２２】
2008167265.tif 000024
【図２３】
2008167265.tif 000025
【図２４】
2008167265.tif 000026
【図２５】
2008167265.tif 000027
【図２６】
2008167265.tif 000028
【図２７】
2008167265.tif 000029
【図２８】
2008167265.tif 000030
【図２９】
2008167265.tif 000031
【図３０】
2008167265.tif 000032
【図３１】
2008167265.tif 000033
【図３２】
2008167265.tif 000034